【手続補正書】
【提出日】平成16年9月21日(2004.9.21)
【手続補正１】
【補正対象書類名】明細書
【補正対象項目名】発明の名称
【補正方法】変更
【補正の内容】
【発明の名称】音声符号化方法、音声符号化装置、及び音声符号化プログラム記録媒体
【手続補正２】
【補正対象書類名】明細書
【補正対象項目名】特許請求の範囲
【補正方法】変更
【補正の内容】
【特許請求の範囲】
【請求項１】
音声がデジタル化された原音声情報に対して、帯域分割符号化方式を用いて符号化を行う音声符号化方法において、
入力音声をサンプリング処理して、サンプリングデータを出力するサンプリングステップと、
上記サンプリングステップで得られたサンプリングデータに対して帯域分割を行い、帯域信号データを出力する帯域分割ステップと、
上記帯域分割ステップで得られた帯域信号データに対して、符号化ビットの割り当てを行う符号化ビット割り当てステップと、
上記符号化ビット割り当てステップにおける割り当てを心理聴覚分析代替制御方式により制御するビット割り当て制御ステップと、
上記符号化ビットの割り当てに従って、上記帯域信号データの量子化を行い、量子化値を出力する量子化ステップと、
上記量子化ステップで得られた量子化値に基づき、符号化データを出力する符号化ステップとを実行することを特徴とする音声符号化方法。
【請求項２】
請求項１に記載の音声符号化方法において、
上記ビット割り当て制御ステップは、
上記帯域分割ステップで得られた帯域信号データに対して、心理聴覚分析代替制御方式により予め定められたビット割り当て順に従って、符号化ビット割り当てを行うよう制御する順次ビット割り当てステップであることを特徴とする音声符号化方法。
【請求項３】
請求項１に記載の音声符号化方法において、
上記ビット割り当て制御ステップは、
上記帯域分割ステップで得られた帯域信号データに対して、心理聴覚分析代替制御方式により予め定められた各帯域への重み付けと、各帯域信号データの有する出力レベルとに基づいた符号化ビット割り当てを行うよう制御する帯域出力適応ビット割り当てステップであることを特徴とする音声符号化方法。
【請求項４】
請求項１に記載の音声符号化方法において、
上記ビット割り当て制御ステップは、
上記帯域分割ステップで得られた帯域信号データに対して、心理聴覚分析代替制御方式により予め定められた各帯域への重み付けと、各帯域毎のビット割り当て数に対する重み付けと、各帯域信号データの有する出力レベルとに基づいた符号化ビット割り当てを行うよう制御する改良型帯域出力適応ビット割り当てステップであることを特徴とする音声符号化方法。
【請求項５】
請求項１に記載の音声符号化方法において、
上記ビット割り当て制御ステップは、
上記帯域分割ステップで得られた帯域信号データに対して、帯域信号データごとに最小可聴限界値との比較を行い、上記比較により最小可聴限界未満と判定された帯域信号データにはビット割り当てを行わず、他の帯域に対してのビット割り当てを増加するよう制御する最小可聴限界比較ステップであることを特徴とする音声符号化方法。
【請求項６】
音声に対して、帯域分割符号化方式を用いて符号化を行う音声符号化装置において、
入力音声をサンプリング処理して、サンプリングデータを出力するサンプリング手段と、
上記サンプリング手段で得られたサンプリングデータに対して帯域分割を行い、帯域信号データを出力する帯域分割手段と、
上記帯域分割手段で得られた帯域信号データに対して、符号化ビットの割り当てを行う符号化ビット割り当て手段と、
上記符号化ビット割り当て手段における割り当てを心理聴覚分析代替制御方式により制御するビット割り当て制御手段と、
上記符号化ビットの割り当てに従って、上記帯域信号データの量子化を行い、量子化値を出力する量子化手段と、
上記量子化手段で得られた量子化値に基づき、符号化データを出力する符号化手段とを備えたことを特徴とする音声符号化装置。
【請求項７】
音声に対して、帯域分割符号化方式を用いて符号化を行う音声符号化プログラムを記録した記録媒体において、
入力音声をサンプリング処理して、サンプリングデータを出力するサンプリングステップと、
上記サンプリングステップで得られたサンプリングデータに対して帯域分割を行い、帯域信号データを出力する帯域分割ステップと、
上記帯域分割ステップで得られた帯域信号データに対して、符号化ビットの割り当てを行う符号化ビット割り当てステップと、
上記符号化ビット割り当てステップにおける割り当てを心理聴覚分析代替制御方式により制御するビット割り当て制御ステップと、
上記符号化ビットの割り当てに従って、上記帯域信号データの量子化を行い、量子化値を出力する量子化ステップと、
上記量子化ステップで得られた量子化値に基づき、符号化データを出力する符号化ステップとを実行する符号化プログラムを記録したことを特徴とする音声符号化プログラム記録媒体。
【手続補正３】
【補正対象書類名】明細書
【補正対象項目名】００６９
【補正方法】削除
【補正の内容】
【手続補正４】
【補正対象書類名】明細書
【補正対象項目名】００７０
【補正方法】削除
【補正の内容】
【手続補正５】
【補正対象書類名】明細書
【補正対象項目名】００７１
【補正方法】変更
【補正の内容】
【００７１】
本発明は、かかる事情に鑑みてなされたものであり、音声取り込みにともなってのリアルタイムでの音声符号化処理を行う符号化方法において、当該符号化方法を実施する計算機の基本的な能力に対応して、符号化処理の制御を行い、装置資源を活用して、良好な符号化結果を得ることの可能な音声符号化方法を提供することを目的とする。
【手続補正６】
【補正対象書類名】明細書
【補正対象項目名】００７４
【補正方法】削除
【補正の内容】
【手続補正７】
【補正対象書類名】明細書
【補正対象項目名】００７５
【補正方法】削除
【補正の内容】
【手続補正８】
【補正対象書類名】明細書
【補正対象項目名】００７６
【補正方法】変更
【補正の内容】
【００７６】
また、本発明は、上記のような音声符号化方法を実行する音声符号化装置を提供することを目的とする。
【手続補正９】
【補正対象書類名】明細書
【補正対象項目名】００７７
【補正方法】変更
【補正の内容】
【００７７】
また、本発明は、パーソナルコンピュータ等の汎用計算機において実行することで、上記のような音声符号化方法を実現できる音声符号化プログラムを記録した記録媒体を提供することを目的とする。
【手続補正１０】
【補正対象書類名】明細書
【補正対象項目名】００７８
【補正方法】削除
【補正の内容】
【手続補正１１】
【補正対象書類名】明細書
【補正対象項目名】００７９
【補正方法】削除
【補正の内容】
【手続補正１２】
【補正対象書類名】明細書
【補正対象項目名】００８０
【補正方法】削除
【補正の内容】
【手続補正１３】
【補正対象書類名】明細書
【補正対象項目名】００８１
【補正方法】削除
【補正の内容】
【手続補正１４】
【補正対象書類名】明細書
【補正対象項目名】００８２
【補正方法】削除
【補正の内容】
【手続補正１５】
【補正対象書類名】明細書
【補正対象項目名】００８３
【補正方法】削除
【補正の内容】
【手続補正１６】
【補正対象書類名】明細書
【補正対象項目名】００８４
【補正方法】削除
【補正の内容】
【手続補正１７】
【補正対象書類名】明細書
【補正対象項目名】００８５
【補正方法】削除
【補正の内容】
【手続補正１８】
【補正対象書類名】明細書
【補正対象項目名】００８６
【補正方法】削除
【補正の内容】
【手続補正１９】
【補正対象書類名】明細書
【補正対象項目名】００８７
【補正方法】削除
【補正の内容】
【手続補正２０】
【補正対象書類名】明細書
【補正対象項目名】００８８
【補正方法】削除
【補正の内容】
【手続補正２１】
【補正対象書類名】明細書
【補正対象項目名】００８９
【補正方法】削除
【補正の内容】
【手続補正２２】
【補正対象書類名】明細書
【補正対象項目名】００９０
【補正方法】削除
【補正の内容】
【手続補正２３】
【補正対象書類名】明細書
【補正対象項目名】００９１
【補正方法】削除
【補正の内容】
【手続補正２４】
【補正対象書類名】明細書
【補正対象項目名】００９２
【補正方法】削除
【補正の内容】
【手続補正２５】
【補正対象書類名】明細書
【補正対象項目名】００９３
【補正方法】削除
【補正の内容】
【手続補正２６】
【補正対象書類名】明細書
【補正対象項目名】００９４
【補正方法】削除
【補正の内容】
【手続補正２７】
【補正対象書類名】明細書
【補正対象項目名】００９５
【補正方法】削除
【補正の内容】
【手続補正２８】
【補正対象書類名】明細書
【補正対象項目名】００９６
【補正方法】削除
【補正の内容】
【手続補正２９】
【補正対象書類名】明細書
【補正対象項目名】００９７
【補正方法】削除
【補正の内容】
【手続補正３０】
【補正対象書類名】明細書
【補正対象項目名】００９８
【補正方法】削除
【補正の内容】
【手続補正３１】
【補正対象書類名】明細書
【補正対象項目名】００９９
【補正方法】削除
【補正の内容】
【手続補正３２】
【補正対象書類名】明細書
【補正対象項目名】０１００
【補正方法】削除
【補正の内容】
【手続補正３３】
【補正対象書類名】明細書
【補正対象項目名】０１０１
【補正方法】変更
【補正の内容】
【０１０１】
【課題を解決するための手段】
上記目的を達成するため、請求項１にかかる音声符号化方法は、音声がデジタル化された原音声情報に対して、帯域分割符号化方式を用いて符号化を行う音声符号化方法において、入力音声をサンプリング処理して、サンプリングデータを出力するサンプリングステップと、上記サンプリングステップで得られたサンプリングデータに対して帯域分割を行い、帯域信号データを出力する帯域分割ステップと、上記帯域分割ステップで得られた帯域信号データに対して、符号化ビットの割り当てを行う符号化ビット割り当てステップと、上記符号化ビット割り当てステップにおける割り当てを心理聴覚分析代替制御方式により制御するビット割り当て制御ステップと、上記符号化ビットの割り当てに従って、上記帯域信号データの量子化を行い、量子化値を出力する量子化ステップと、上記量子化ステップで得られた量子化値に基づき、符号化データを出力する符号化ステップとを実行するものである。
【手続補正３４】
【補正対象書類名】明細書
【補正対象項目名】０１０２
【補正方法】変更
【補正の内容】
【０１０２】
また、請求項２にかかる音声符号化方法は、請求項１の方法において、上記ビット割り当て制御ステップは、上記帯域分割ステップで得られた帯域信号データに対して、心理聴覚分析代替制御方式により予め定められたビット割り当て順に従って、符号化ビット割り当てを行うよう制御する順次ビット割り当てステップであるものである。
【手続補正３５】
【補正対象書類名】明細書
【補正対象項目名】０１０３
【補正方法】変更
【補正の内容】
【０１０３】
また、請求項３にかかる音声符号化方法は、請求項１の方法において、上記ビット割り当て制御ステップは、上記帯域分割ステップで得られた帯域信号データに対して、心理聴覚分析代替制御方式により予め定められた各帯域への重み付けと、各帯域信号データの有する出力レベルとに基づいた符号化ビット割り当てを行うよう制御する帯域出力適応ビット割り当てステップであるものである。
【手続補正３６】
【補正対象書類名】明細書
【補正対象項目名】０１０４
【補正方法】変更
【補正の内容】
【０１０４】
また、請求項４にかかる音声符号化方法は、請求項１の方法において、上記ビット割り当て制御ステップは、上記帯域分割ステップで得られた帯域信号データに対して、心理聴覚分析代替制御方式により予め定められた各帯域への重み付けと、各帯域毎のビット割り当て数に対する重み付けと、各帯域信号データの有する出力レベルとに基づいた符号化ビット割り当てを行うよう制御する改良型帯域出力適応ビット割り当てステップであるものである。
【手続補正３７】
【補正対象書類名】明細書
【補正対象項目名】０１０５
【補正方法】変更
【補正の内容】
【０１０５】
また、請求項５にかかる音声符号化方法は、請求項１の方法において、上記ビット割り当て制御ステップは、上記帯域分割ステップで得られた帯域信号データに対して、帯域信号データごとに最小可聴限界値との比較を行い、上記比較により最小可聴限界未満と判定された帯域信号データにはビット割り当てを行わず、他の帯域に対してのビット割り当てを増加するよう制御する最小可聴限界比較ステップであるものである。
【手続補正３８】
【補正対象書類名】明細書
【補正対象項目名】０１０６
【補正方法】削除
【補正の内容】
【手続補正３９】
【補正対象書類名】明細書
【補正対象項目名】０１０７
【補正方法】削除
【補正の内容】
【手続補正４０】
【補正対象書類名】明細書
【補正対象項目名】０１０８
【補正方法】削除
【補正の内容】
【手続補正４１】
【補正対象書類名】明細書
【補正対象項目名】０１０９
【補正方法】削除
【補正の内容】
【手続補正４２】
【補正対象書類名】明細書
【補正対象項目名】０１１０
【補正方法】削除
【補正の内容】
【手続補正４３】
【補正対象書類名】明細書
【補正対象項目名】０１１１
【補正方法】削除
【補正の内容】
【手続補正４４】
【補正対象書類名】明細書
【補正対象項目名】０１１２
【補正方法】削除
【補正の内容】
【手続補正４５】
【補正対象書類名】明細書
【補正対象項目名】０１１３
【補正方法】削除
【補正の内容】
【手続補正４６】
【補正対象書類名】明細書
【補正対象項目名】０１１４
【補正方法】削除
【補正の内容】
【手続補正４７】
【補正対象書類名】明細書
【補正対象項目名】０１１５
【補正方法】削除
【補正の内容】
【手続補正４８】
【補正対象書類名】明細書
【補正対象項目名】０１１６
【補正方法】変更
【補正の内容】
【０１１６】
また、請求項６にかかる音声符号化装置は、音声に対して、帯域分割符号化方式を用いて符号化を行う音声符号化装置において、入力音声をサンプリング処理して、サンプリングデータを出力するサンプリング手段と、上記サンプリング手段で得られたサンプリングデータに対して帯域分割を行い、帯域信号データを出力する帯域分割手段と、上記帯域分割手段で得られた帯域信号データに対して、符号化ビットの割り当てを行う符号化ビット割り当て手段と、上記符号化ビット割り当て手段における割り当てを心理聴覚分析代替制御方式により制御するビット割り当て制御手段と、上記符号化ビットの割り当てに従って、上記帯域信号データの量子化を行い、量子化値を出力する量子化手段と、上記量子化手段で得られた量子化値に基づき、符号化データを出力する符号化手段とを備えたものである。
【手続補正４９】
【補正対象書類名】明細書
【補正対象項目名】０１１７
【補正方法】削除
【補正の内容】
【手続補正５０】
【補正対象書類名】明細書
【補正対象項目名】０１１８
【補正方法】削除
【補正の内容】
【手続補正５１】
【補正対象書類名】明細書
【補正対象項目名】０１１９
【補正方法】削除
【補正の内容】
【手続補正５２】
【補正対象書類名】明細書
【補正対象項目名】０１２０
【補正方法】削除
【補正の内容】
【手続補正５３】
【補正対象書類名】明細書
【補正対象項目名】０１２１
【補正方法】変更
【補正の内容】
【０１２１】
また、請求項７にかかる音声符号化プログラム記録媒体は、音声に対して、帯域分割符号化方式を用いて符号化を行う音声符号化プログラムを記録した記録媒体において、入力音声をサンプリング処理して、サンプリングデータを出力するサンプリングステップと、上記サンプリングステップで得られたサンプリングデータに対して帯域分割を行い、帯域信号データを出力する帯域分割ステップと、上記帯域分割ステップで得られた帯域信号データに対して、符号化ビットの割り当てを行う符号化ビット割り当てステップと、上記符号化ビット割り当てステップにおける割り当てを心理聴覚分析代替制御方式により制御するビット割り当て制御ステップと、上記符号化ビットの割り当てに従って、上記帯域信号データの量子化を行い、量子化値を出力する量子化ステップと、上記量子化ステップで得られた量子化値に基づき、符号化データを出力する符号化ステップとを実行する符号化プログラムを記録したものである。
【手続補正５４】
【補正対象書類名】明細書
【補正対象項目名】０１２２
【補正方法】削除
【補正の内容】
【手続補正５５】
【補正対象書類名】明細書
【補正対象項目名】０５８２
【補正方法】削除
【補正の内容】
【手続補正５６】
【補正対象書類名】明細書
【補正対象項目名】０５８３
【補正方法】削除
【補正の内容】
【手続補正５７】
【補正対象書類名】明細書
【補正対象項目名】０５８４
【補正方法】削除
【補正の内容】
【手続補正５８】
【補正対象書類名】明細書
【補正対象項目名】０５８５
【補正方法】削除
【補正の内容】
【手続補正５９】
【補正対象書類名】明細書
【補正対象項目名】０５８６
【補正方法】削除
【補正の内容】
【手続補正６０】
【補正対象書類名】明細書
【補正対象項目名】０５８７
【補正方法】削除
【補正の内容】
【手続補正６１】
【補正対象書類名】明細書
【補正対象項目名】０５８８
【補正方法】削除
【補正の内容】
【手続補正６２】
【補正対象書類名】明細書
【補正対象項目名】０５８９
【補正方法】削除
【補正の内容】
【手続補正６３】
【補正対象書類名】明細書
【補正対象項目名】０５９０
【補正方法】削除
【補正の内容】
【手続補正６４】
【補正対象書類名】明細書
【補正対象項目名】０５９１
【補正方法】削除
【補正の内容】
【手続補正６５】
【補正対象書類名】明細書
【補正対象項目名】０５９２
【補正方法】削除
【補正の内容】
【手続補正６６】
【補正対象書類名】明細書
【補正対象項目名】０５９３
【補正方法】削除
【補正の内容】
【手続補正６７】
【補正対象書類名】明細書
【補正対象項目名】０５９４
【補正方法】削除
【補正の内容】
【手続補正６８】
【補正対象書類名】明細書
【補正対象項目名】０５９５
【補正方法】削除
【補正の内容】
【手続補正６９】
【補正対象書類名】明細書
【補正対象項目名】０５９６
【補正方法】削除
【補正の内容】
【手続補正７０】
【補正対象書類名】明細書
【補正対象項目名】０５９７
【補正方法】削除
【補正の内容】
【手続補正７１】
【補正対象書類名】明細書
【補正対象項目名】０５９８
【補正方法】削除
【補正の内容】
【手続補正７２】
【補正対象書類名】明細書
【補正対象項目名】０５９９
【補正方法】削除
【補正の内容】
【手続補正７３】
【補正対象書類名】明細書
【補正対象項目名】０６００
【補正方法】削除
【補正の内容】
【手続補正７４】
【補正対象書類名】明細書
【補正対象項目名】０６０１
【補正方法】削除
【補正の内容】
【手続補正７５】
【補正対象書類名】明細書
【補正対象項目名】０６０２
【補正方法】削除
【補正の内容】
【手続補正７６】
【補正対象書類名】明細書
【補正対象項目名】０６０３
【補正方法】削除
【補正の内容】
【手続補正７７】
【補正対象書類名】明細書
【補正対象項目名】０６０４
【補正方法】削除
【補正の内容】
【手続補正７８】
【補正対象書類名】明細書
【補正対象項目名】０６０５
【補正方法】変更
【補正の内容】
【０６０５】
【発明の効果】
請求項１の音声符号化方法によれば、音声がデジタル化された原音声情報に対して、帯域分割符号化方式を用いて符号化を行う音声符号化方法において、入力音声をサンプリング処理して、サンプリングデータを出力するサンプリングステップと、上記サンプリングステップで得られたサンプリングデータに対して帯域分割を行い、帯域信号データを出力する帯域分割ステップと、上記帯域分割ステップで得られた帯域信号データに対して、符号化ビットの割り当てを行う符号化ビット割り当てステップと、上記符号化ビット割り当てステップにおける割り当てを心理聴覚分析代替制御方式により制御するビット割り当て制御ステップと、上記符号化ビットの割り当てに従って、上記帯域信号データの量子化を行い、量子化値を出力する量子化ステップと、上記量子化ステップで得られた量子化値に基づき、符号化データを出力する符号化ステップとを実行することで、心理聴覚分析を簡略化したビット割り当て制御を実行し、人間の聴覚の特性に応じた高品質の符号化結果の得られる符号化処理を、処理負担を大きく増大することなく実行することが可能となる。
【手続補正７９】
【補正対象書類名】明細書
【補正対象項目名】０６０６
【補正方法】変更
【補正の内容】
【０６０６】
また、請求項２の音声符号化方法によれば、請求項１の方法において、上記ビット割り当て制御ステップは、上記帯域分割ステップで得られた帯域信号データに対して、心理聴覚分析代替制御方式により予め定められたビット割り当て順に従って、符号化ビット割り当てを行うよう制御する順次ビット割り当てステップであるものとしたことで、帯域ごとに単純なアルゴリズムでビットを割り当てて、簡略化した心理聴覚分析を実行し、若干の処理負担の増大はあるものの、再生音質の良好な符号化データを得ることが可能となる。
【手続補正８０】
【補正対象書類名】明細書
【補正対象項目名】０６０７
【補正方法】変更
【補正の内容】
【０６０７】
また、請求項３の音声符号化方法によれば、請求項１の方法において、上記ビット割り当て制御ステップは、上記帯域分割ステップで得られた帯域信号データに対して、心理聴覚分析代替制御方式により予め定められた各帯域への重み付けと、各帯域信号データの有する出力レベルとに基づいた符号化ビット割り当てを行うよう制御する帯域出力適応ビット割り当てステップであるものとしたことで、帯域ごとの割り当てと、データ自体の性質とに応じてビットを割り当てて、簡略化した心理聴覚分析を実行し、若干の処理負担の増大はあるものの、再生音質の良好な符号化データを得ることが可能となる。
【手続補正８１】
【補正対象書類名】明細書
【補正対象項目名】０６０８
【補正方法】変更
【補正の内容】
【０６０８】
また、請求項４の音声符号化方法によれば、請求項１の方法において、上記ビット割り当て制御ステップは、上記帯域分割ステップで得られた帯域信号データに対して、心理聴覚分析代替制御方式により予め定められた各帯域への重み付けと、各帯域毎のビット割り当て数に対する重み付けと、各帯域信号データの有する出力レベルとに基づいた符号化ビット割り当てを行うよう制御する改良型帯域出力適応ビット割り当てステップであるものとしたことで、帯域ごとの割り当てと、データ自体の性質とに応じて、すでに割り当てたビット配分を考慮しつつビットを割り当てて、簡略化した心理聴覚分析を実行し、若干の処理負担の増大はあるものの、再生音質の良好な符号化データを得ることが可能となる。
【手続補正８２】
【補正対象書類名】明細書
【補正対象項目名】０６０９
【補正方法】変更
【補正の内容】
【０６０９】
また、請求項５の音声符号化方法によれば、請求項１の方法において、上記ビット割り当て制御ステップは、上記帯域分割ステップで得られた帯域信号データに対して、帯域信号データごとに最小可聴限界値との比較を行い、上記比較により最小可聴限界未満と判定された帯域信号データにはビット割り当てを行わず、他の帯域に対してのビット割り当てを増加するよう制御する最小可聴限界比較ステップであるものとしたことで、最小可聴限界を考慮してビットを割り当てて、簡略化した心理聴覚分析を実行し、若干の処理負担の増大はあるものの、再生音質の良好な符号化データを得ることが可能となる。
【手続補正８３】
【補正対象書類名】明細書
【補正対象項目名】０６１０
【補正方法】削除
【補正の内容】
【手続補正８４】
【補正対象書類名】明細書
【補正対象項目名】０６１１
【補正方法】削除
【補正の内容】
【手続補正８５】
【補正対象書類名】明細書
【補正対象項目名】０６１２
【補正方法】削除
【補正の内容】
【手続補正８６】
【補正対象書類名】明細書
【補正対象項目名】０６１３
【補正方法】削除
【補正の内容】
【手続補正８７】
【補正対象書類名】明細書
【補正対象項目名】０６１４
【補正方法】削除
【補正の内容】
【手続補正８８】
【補正対象書類名】明細書
【補正対象項目名】０６１５
【補正方法】削除
【補正の内容】
【手続補正８９】
【補正対象書類名】明細書
【補正対象項目名】０６１６
【補正方法】削除
【補正の内容】
【手続補正９０】
【補正対象書類名】明細書
【補正対象項目名】０６１７
【補正方法】削除
【補正の内容】
【手続補正９１】
【補正対象書類名】明細書
【補正対象項目名】０６１８
【補正方法】削除
【補正の内容】
【手続補正９２】
【補正対象書類名】明細書
【補正対象項目名】０６１９
【補正方法】削除
【補正の内容】
【手続補正９３】
【補正対象書類名】明細書
【補正対象項目名】０６２０
【補正方法】変更
【補正の内容】
【０６２０】
また、請求項６の音声符号化装置によれば、音声に対して、帯域分割符号化方式を用いて符号化を行う音声符号化装置において、入力音声をサンプリング処理して、サンプリングデータを出力するサンプリング手段と、上記サンプリング手段で得られたサンプリングデータに対して帯域分割を行い、帯域信号データを出力する帯域分割手段と、上記帯域分割手段で得られた帯域信号データに対して、符号化ビットの割り当てを行う符号化ビット割り当て手段と、上記符号化ビット割り当て手段における割り当てを心理聴覚分析代替制御方式により制御するビット割り当て制御手段と、上記符号化ビットの割り当てに従って、上記帯域信号データの量子化を行い、量子化値を出力する量子化手段と、上記量子化手段で得られた量子化値に基づき、符号化データを出力する符号化手段とを備えたので、心理聴覚分析を簡略化したビット割り当て制御を実行し、人間の聴覚の特性に応じた高品質の符号化結果の得られる符号化処理を、処理負担を大きく増大することなく実行することが可能となる。
【手続補正９４】
【補正対象書類名】明細書
【補正対象項目名】０６２１
【補正方法】削除
【補正の内容】
【手続補正９５】
【補正対象書類名】明細書
【補正対象項目名】０６２２
【補正方法】削除
【補正の内容】
【手続補正９６】
【補正対象書類名】明細書
【補正対象項目名】０６２３
【補正方法】削除
【補正の内容】
【手続補正９７】
【補正対象書類名】明細書
【補正対象項目名】０６２４
【補正方法】削除
【補正の内容】
【手続補正９８】
【補正対象書類名】明細書
【補正対象項目名】０６２５
【補正方法】変更
【補正の内容】
【０６２５】
また、請求項７の音声符号化プログラム記録媒体によれば、音声に対して、帯域分割符号化方式を用いて符号化を行う音声符号化プログラムを記録した記録媒体において、入力音声をサンプリング処理して、サンプリングデータを出力するサンプリングステップと、上記サンプリングステップで得られたサンプリングデータに対して帯域分割を行い、帯域信号データを出力する帯域分割ステップと、上記帯域分割ステップで得られた帯域信号データに対して、符号化ビットの割り当てを行う符号化ビット割り当てステップと、上記符号化ビット割り当てステップにおける割り当てを心理聴覚分析代替制御方式により制御するビット割り当て制御ステップと、上記符号化ビットの割り当てに従って、上記帯域信号データの量子化を行い、量子化値を出力する量子化ステップと、上記量子化ステップで得られた量子化値に基づき、符号化データを出力する符号化ステップとを実行する符号化プログラムを記録したので、パーソナルコンピュータ等の汎用計算機において、当該符号化プログラムを実行させることにより、心理聴覚分析を簡略化したビット割り当て制御を実行し、人間の聴覚の特性に応じた高品質の符号化結果の得られる符号化処理を、処理負担を大きく増大することなく実行することが可能となる。
【手続補正９９】
【補正対象書類名】明細書
【補正対象項目名】０６２６
【補正方法】削除
【補正の内容】